(57)【要約】【課題】  年間を通じて温度１６度前後で安定した地中５〜７ｍの地熱を利用して、２４時間安定的に、永久に利用でき、メンテナンスが省略され、施工箇所が少なく、工程が削減され、施工精度が向上し、工期が短縮され、工事費が大幅に軽減され、二酸化炭素を発生はない、省エネの地中熱利用の冷暖房システムを開発すること。【解決手段】  地中に埋設して金属のみによって熱を吸収・伝導する地中部熱伝導材１と、地上に設置して金属のみによって熱を伝導・放熱する地上部熱伝導材２と、地中上部に埋設して地中部熱伝導材１と地上部熱伝導材２とを金属のみによって接続伝導する接続部熱伝導材３と、地上で地上部熱伝導材２から熱を放熱させる放熱ボックス４と、放熱ボックス４の熱を室内に循環送風するためのダクト５、６からなる地中熱利用の冷暖房システムとする。【選択図】図１
2010019502.tif 000002
【特許請求の範囲】
【請求項１】
地中に埋設して金属のみによって熱を吸収・伝導する地中部熱伝導材と、地上に設置して金属のみによって熱を伝導・放熱する地上部熱伝導材と、地中上部に埋設して地中部熱伝導材と地上部熱伝導材とを金属のみによって接続伝導する接続部熱伝導材と、地上で地上部熱伝導材から熱を放熱させる放熱ボックスと、放熱ボックスの熱を室内に循環送風するためのダクトからなることを特徴とする地中熱利用の冷暖房システム。
【請求項２】
地中部熱伝導材は管状であることを特徴とする請求項１に記載の地中熱利用の冷暖房システム。
【請求項３】
地上部熱伝導材は板状であることを特徴とする請求項１に記載の地中熱利用の冷暖房システム。
【請求項４】
接続部熱伝導材は板状であることを特徴とする請求項１に記載の地中熱利用の冷暖房システム。
【請求項５】
地中部熱伝導材は３本または複数本を束にして挿入することを特徴とする請求項１または２に記載の地中熱利用の冷暖房システム。
【請求項６】
地中部熱伝導材は構造用基礎杭の中空部又はオーガー掘削の中に挿入することを特徴とする請求項１または２、５に記載の地中熱利用の冷暖房システム。
【請求項７】
放熱ボックスはその内部が地上部熱伝導材によって室内側放熱ボックス部と外部側放熱ボックス部に仕切られていることを特徴とする請求項１に記載の地中熱利用の冷暖房システム。
【請求項８】
放熱ボックスはその下端部に排水孔を設けることを特徴とする請求項１または７に記載の地中熱利用の冷暖房システム。
【請求項９】
ダクトは床側と天井側とに設けられ、放熱ボックス内側のダクトには循環送風のための正逆転可能なファンが設けられていることを特徴とする請求項１に記載の地中熱利用の冷暖房システム。
【発明の詳細な説明】
【技術分野】
【０００１】
本発明は、地中熱を利用する冷暖房システムに関するものである。
【背景技術】
【０００２】
従来から地熱を利用した冷暖房空調システムがいろいろと考えられている。例えば特許文献１に開示されている空調システムは、地中部に熱交換パイプを設け、床下に蓄熱室に接続され、地上部の連結空気通路から各空気通路に接続し、室内の吹出口に接続させている。
この蓄熱室では地中部に設けた熱交換パイプの中に通気させて地熱を吸収した蓄熱室内の除湿機と黴フィルターに通気させた後、地上部の連結空気通路から各空気通路に接続し、室内の吹出口より放熱させている。
連結空気通路に正逆転フアンを設けることによって夏期と冬期に切り換えて、天井空気通路や外壁空気通路や屋内空気通路には通気させることにより建物内の室温を調整しようとしたものである。
【特許文献１】特開２００５−２０１４６３号公報
【発明の開示】
【発明が解決しようとする課題】
【０００３】
しかしながらこの種の空調システムにおいては、地中に埋設した熱交換パイプの空気を、床下に設けられた蓄熱室から連結空気通路を経由して天井空気通路や東西南北に配置された外壁空気通路や屋内空気通路にファンで送風し、床下の蓄熱室に循環させているが、夏期に地上の暑い空気を地中の熱交換パイプに通風すると温度差により地中に埋設した熱交換パイプ内底に結露の水が貯まり、その結果、熱交換パイプ内の空気流通が難しくなり熱効率が悪くなる問題点があった。
【０００４】
また、東西南北の外壁空気通路や屋内空気通路に空気が平均的に循環し難く、夏期は蓄熱室において除湿機で除湿しても、室内側の外壁空気通路内や屋内空気通路や天井空気通路内に温度差による結露が発生して、メンテナンスが難しい、という問題点があった。
【０００５】
また、連結空気通路・天井空気通路・屋内空気通路・外壁空気通路・ダンパー・制御ボックスなど設備や配管も多く、制御盤による制御が複雑化して施工も難しく、工事費が増えるという問題点があった。
【課題を解決するための手段】
【０００６】
本発明はかかる問題点を解決すべく発明されたものであって、地中に埋設して金属のみによって熱を吸収・伝導する地中部熱伝導材と、地上に設置して金属のみによって熱を伝導・放熱する地上部熱伝導材と、地中上部に埋設して地中部熱伝導材と地上部熱伝導材を金属のみによって接続伝導する接続部熱伝導材と、地上で地上部熱伝材から熱を放熱させる放熱ボックスと放熱ボックスの熱を室内に循環送風するためのダクトからなることを特徴とする。
【０００７】
また、本発明は、地中部熱伝導材は管状であることを特徴とする。
【０００８】
また、本発明は、地上部熱伝導材は板状であることを特徴とする。
【０００９】
また、本発明は、接続部熱伝導材は板状であることを特徴とする。
【００１０】
また、本発明は、地中部熱伝導材は３本または複数本を束にして挿入することを特徴とする。
【００１１】
また、本発明は、地中部熱伝導材は構造用基礎杭の中空部又はオーガー掘削の中に挿入することを特徴とする。
【００１２】
また、本発明は、放熱ボックスはその内部が地上部熱伝導材によって室内側放熱  ボックス部と外部側放熱ボックス部に仕切らえていることを特徴とする。
【００１３】
また、本発明は、放熱ボックスはその下端部に排水孔を設けられていることを特徴とする。
【００１４】
また、本発明は、ダクトは床側と天井側とに設けられ、放熱ボックス内側のダクトに循環送風のための正逆転可能なファンが設けられている ことを特徴とする。
【００１５】
本発明の地中部熱伝導材や接続部熱伝導材や地上部熱伝導材で採用される金属は主に銅、銀、ヒートレーンステンレス等である。この金属を使用して地中下部５〜７ｍの熱を吸収し、伝導し、効率よく放熱させるために、地中部熱伝導材は管状、接続部熱伝導材は板状、地上部熱伝導材は板状とする。
また、熱を伝導するために地中部熱伝導材は地中上部で接続部熱伝導材に接続し、接続部熱伝導材は地中上部でさらに地上部熱伝導材に接続する。
尚、放熱をよくするため放熱ボックス内の板状の地上部熱伝導材にはその両面に金属のみからなる板羽根熱伝導材を接続してもよい。
【００１６】
その形状において、熱を吸収し、伝導し、放熱するために地中上部を断熱材で被覆することで地中上部の熱損失を小さくし、さらに地上部を断熱材で隔離することで地中下部の吸収した熱を効率よく伝導し、地上部の放熱ボックス内の地上部熱伝導材と板羽根熱伝導材により効率よく放熱することができる。
このような形状において、地中部熱伝導材の熱吸収表面積を１倍とし、地上部熱伝導材と板羽根熱伝導材の放熱表面積を１０倍とする。さらに倍率を上げることで放熱が早くなり短時間で放熱することができる。この場合の倍率は放熱の時間や地中と地上の温度差により決められる。また、地中部熱伝導材と接続部熱伝導材と地上部熱伝導材のそれぞれの断面積を同じとすることで地中部熱伝導材が吸収した熱を接続部熱伝導材に同量の熱を伝導し、地上部熱伝導材に同量の熱を伝導し、放熱をすることができる。
【００１７】
この地中熱利用の冷暖房システムの温度制御は図９に図示されている温度制御部によって行なわれる。室内には温度センサーと湿度センサーと操作盤が設置されてい  て、操作盤には温度設定部、冷房・暖房と自動・強・中・弱の切換部があり、送風機や正逆転ファン用の強・中・弱の切換部があり、除湿機のＯＮ／ＯＦＦの切換部もある。また、温度制御部には温度センサーのための温度検出部、湿度センサーのための湿度検出部、温度コントロール部、送風機の風量調節部、正逆転ファンの風量調節  部、除湿機のＯＮ／ＯＦＦが内蔵されている。放熱ボックス内には送風機や除湿機が内蔵され、ダクト内には正逆転ファンが設けられ連動している。
【００１８】
このような制御によって、例えば、室内の温度を温度設定部で調節することで放熱ボックス内の地上部熱伝導材と板羽根熱伝導材に送風機で送風し、風量も調節され、放熱量が調節される。
また、同時に室内に吹き出すための正逆転ファンの風量も調節され、室内温度が調節される。操作盤には送風機の送風調整スィッチがあり自動、強、中、弱がある。また、正逆転ファンの風量調整スィッチがあり自動、強、中、弱があり、風量も調節され、これを組み合わせることで室内温度を調節することができる。
【００１９】
例えば、夏期には室内の温度が２８度の時に操作盤で室内の温度設定を操作し、  ２５度に設定すると、自動制御であれば、放熱ボックス内の送風機が地上部熱伝導材と板羽根熱伝導材に送風し、風量も調整され、地上部熱伝導材と板羽根熱伝導材に伝導された１６度位の温度を放冷しつつ、除湿機で除湿し、天井裏ダクト内の正逆転  ファンで天井吹出・吸込口より室内に吹き出し、風量も調整され、室内温度センサーが２５度になるまで自動的に運転される。
冬期には室内の温度が１０度の時に操作盤で室内の温度設定を操作し、１３度に設定すると、自動制御であれば、放熱ボックス内の送風機が地上部熱伝導材と板羽根熱伝導材に送風し、風量も調整され、地上部熱伝導材と板羽根熱伝導材に伝導された  １６度位の温度を放熱しつつ、床下ダクト内の正逆転ファンで床吸込・吹出口より室内に吹き出し、風量も調整され、室内温度センサーが１３度になるまで自動的に運転される。尚、地中下部の１６度位の地中温度を採熱し、地上部熱伝導材と板羽根熱伝導材に伝導され、１６度位で放熱するが室内の熱損失もあり、１３度位が最も高い室内温度になる。
【００２０】
このような構成によって、例えば関西地区以西では、地中下部５〜７ｍの地中熱は年間を通じて約１６度前後であるので、２４時間冷暖房した場合、夏期では室内温度が２２〜２８度になり、冬期は室内温度が１３度位になる。
【発明の効果】
【００２１】
本発明の地中熱利用の冷暖房システムは地中に埋設して金属のみによって熱を吸  収・伝導する地中部熱伝導材と、地上に設置して金属のみによって熱を伝導・放熱する地上部熱伝導材と、地中上部に埋設して地中部熱伝導材と地上部熱伝導材とを金属のみによって接続伝導する接続部熱伝導材によって構成されるため、設備の配管等がなく、システム全体のメンテナンスが容易である。
また、地中部熱伝導材・接続部熱伝導材・地上部熱伝導材は、腐食の進行によって表面が錆びることはあっても熱伝導は全く軽減されることはなく永久的に機能するので、ダクトを通じて常に室内に直接、効率よく循環送風し、２４時間放熱することができる。
また、放熱ボックス内は、主に金属のみによって地上部熱伝導材と板羽根熱伝導材で構成されており、送風機・除湿機・黴除去フィルター・ダクト等は簡易なものでよいので、取替えなどを簡単に行なうことができる。
【００２２】
また、地中部熱伝導材を管状にすることで、円形の小面積で地中熱を効率よく吸  収・伝導でき、施工が容易になり、施工精度が向上し、メンテナンスを不要にすることができる。
【００２３】
また、地上部熱伝導材を板状にすることで、熱吸収表面積と放熱表面積を大きくでき、接続施工も容易になり、施工箇所を減少させ、工程を削減し、施工精度を向上させ、工期を短縮し、工事費を大幅に軽減し、メンテナンスを不要にすることができる。
【００２４】
また、接続部熱伝導材を板状にすることで、地中部熱伝導材の全断面積と接続部熱伝導材の全断面積と地上部熱伝導材の全断面積とを同じにすることが容易にでき、接続施工も容易になり、施工箇所を減少させ、工程を削減し、施工精度を向上させ、工期を短縮し、工事費を大幅に軽減し、メンテナンスを不要にすることができる。
【００２５】
また、地中部熱伝導材を３本または複数本を束にして挿入することで、地上部熱伝導材の全断面積と同じにすることができ、束による円形の小面積で地中熱を効率よく吸収・伝導でき、採取の表面積が大きくなり、接続施工が容易になり、施工箇所を減少させ、工程を削減し、施工精度を向上させ、工期を短縮し、工事費を大幅に軽減  し、メンテナンスを不要にすることができる。
【００２６】
また、構造用基礎杭の中空部に上部を断熱材で被服した地中部管状熱伝導材を挿入することで、地中上部の変動する熱を避けて地中下部の変動の少ない熱を吸収でき、円形の表面積で地中熱を効率よく吸収・伝導できる。さらに、地中挿入工事の掘削・ベンドナイトの注入工事が不用で、工事を簡素化し、施工精度を向上させ、工期を短縮し、工事費を大幅に軽減し、メンテナンスを不要にすることができる。
【００２７】
また、放熱ボックスの内部を地上部熱伝導材で仕切り室内側放熱ボックスと外部側放熱ボックスとすることで、放熱面を両面にして大きくでき、放熱量を効率よく放熱することができる。
【００２８】
また、放熱ボックスの下部に排水孔を設けることで、結露水や除湿水の排水を動力に頼らずに自然排水することができる。
【００２９】
また、ダクトを床側と天井側に設け、正逆転可能なファンにより夏期と冬期で異なる方向の空気の流れを生じさせることでダクトからの送風は冬期には床から暖房し、夏期には天井から冷房し、気熱を循環させることで、室内の温度差を緩和することができる。
【発明を実施するための最良の形態】
【００３０】
以下、本発明を実施するための最良の形態を図面に基づいて詳細に説明する。本発明の地中熱利用の冷暖房システムは図１に記載されているように、地中に埋設して熱を吸収・伝導する地中部熱伝導材１と、地上に設置して熱を伝導・放熱する地上部熱伝導材２と、地中上部に埋設して地中部熱伝導材１と地上部熱伝導材２とを接続伝導する接続部熱伝導材３と、地上で地上部熱伝導材２から熱を放熱させる放熱ボックス４と、放熱ボックス４の熱を室内に循環送風するためのダクト５、６で構成されている。
【００３１】
地中部熱伝導材１は銅のみで構成され、基本的な大きさとしては直径１００ｍｍで厚さが２ｍｍあり、長さ６ｍの管形状になっていて、この地中部熱伝導材１は地中部に設けた間隔を開けて埋設されている複数本の構造用基礎杭１７の中空部１８に挿入されている。
また、地中部熱伝導材１の地中上部は図２または図３に示すように断熱材１６で被覆している。
【００３２】
尚、既設建物や新築木造建物の場合には３本〜複数本の地中部熱伝導材１を１ユニットとして、これを地中部に間隔を開けて埋設されているベンドナイト２０を注入した直径４００ｍｍ〜５５０ｍｍのオーガー掘削１９の中に挿入する方法も考えられる。その場合にも、３本〜複数本の地中部熱伝導材１の地中上部は図４に示すように断熱材１６で被覆する。
【００３３】
地上部熱伝導材２は銅のみで構成され、形状は板状になっており大きさとしては幅１５００ｍｍで厚さが５ｍｍあり、高さ４ｍになっている。
そして、この地上部熱伝導材２には両面に板状の板羽根熱伝導材２−１が接続されている。
また、地上部熱伝導材２の地中上部は図３に示すように断熱材１６で被覆している。
【００３４】
接続部熱伝導材３は銅のみで構成され、形状は板状になっており大きさとしては幅２００ｍｍで厚さが５〜６０〜１２０ｍｍあり、長さ１０ｍ以上の形状になっている。そして、この接続部熱伝導材３は地中部熱伝導材１と地上部熱伝導材２を地中上部で接続されている。
また、接続部熱伝導材３の地中上部は図３に示すように断熱材１６で被覆している。
【００３５】
また、地中熱利用の冷暖房システムの構成において、全体的な割合は地中部熱伝導材の熱吸収表面積を１倍とし、地上部熱伝導材１と板羽根熱伝導材２−１の放熱表面積を１０倍としている。
また、地中部熱伝導材１と接続部熱伝導材３と地上部熱伝導材２のそれぞれの断面積を同じとするように、地中部熱伝導材１は本数で調節し、地上部熱伝導材２は厚みで調節し、接続部熱伝導材３も厚みで調節をしている。
【００３６】
放熱ボックス４は壁沿いに形成され、周囲を断熱材で区画され、地上部熱伝導材２によって室内側放熱ボックス４−１、外部側放熱ボックス４−２に仕切られている。それぞれの大きさとしては室内側放熱ボックス４−１が奥行き１５００ｍｍ、幅２２５ｍｍ、高さ３０００ｍｍであり、外部側放熱ボックス４−２が奥行き１５００ｍｍ、幅２２５ｍｍ、高さ３０００ｍｍの長方形になっている。また、放熱ボックス４内には送風機９、除湿機１１が設置されている。地上部熱伝導材２と板羽根熱伝導材２−１にあてる送風機９の風量を調節することにより放熱量がかわる。
【００３７】
また、夏期に除湿機１１で除湿した除湿水と結露水を排水するために、室内側放熱ボックス４−１と外部側放熱ボックス４−２の下部に自然排水用の排水孔１２が径２５ｍｍ設けられている。
尚、図１または図５に示すように室内側放熱ボックス４−１には室内に面し、直接室内に放熱できるサッシ８が上下にあり、改め口の機能もしている。また、外部側放熱ボックス４−２には改め口サッシ１３が設けられている。
【００３８】
ダクト５、６は金属で構成され、管形状になっており大きさとしては直径１００ｍｍで厚さが１．２ｍｍになっている。そして、このダクト５、６は図１または図５に示すように放熱ボックス４に複数本接続し、放熱ボックス４側のダクト５、６入り口部に黴除去フィルター１０とその奥に正逆転ファン７が内蔵され、室内の天井に天井吹出・吸込口１５と床に床吸込・吹出口１４が設けられ接続している。夏期には正逆転ファン７を冷房に設定することで天井の天井吹出・吸込口１５より冷気が吹き出し、床の床吸込・吹出口１４から吸い込むようにして循環冷房をする。冬期には正逆転ファン７を暖房に設定することで床の床吸込・吹出口１４より暖気が吹き出し、天井の天井吹出・吸込口１５から吸い込むようにして循環暖房をする。
【００３９】
次に、このような地中熱を利用した冷暖房システムの使用方法を説明する。夏期には地中部熱伝導材１の地中下部で１６度前後の地中熱を採熱し、伝導しつつ、接続部熱伝導材３で地上部熱伝導材２に伝導させる。操作盤の温度設定部で室内の温度を設定し、同時に操作盤の除湿スィッチをＯＮに入れる。
また、冷房・暖房の切換部を冷房に設定する。放熱ボックス４内は室内の温度を設定されることで地上部熱伝導材２と板羽根熱伝導材２−１に送風機９で送風され、送風量が調節され、放冷量も調節される。
さらに放熱ボックス４内は除湿機１１で除水された水と結露水は排水孔１２で自然排水される。ダクト５は入り口部の黴除去フィルター１０に通気させて正逆転ファン７の送風量も調節されながら室内の天井吹出・吸込口１４より冷気を吹き出し循環冷房をし、２２度〜２８度の室温に温度調節しながら床吸込・吹出口１５より吸い込み放熱ボックス４に循環する。
【００４０】
また、冬期には地中部熱伝導材１の地中下部で１６度前後の地中熱を採熱し、伝導しつつ、接続部熱伝導材３で地上部熱伝導材２に伝導させる。操作盤の温度設定部で室内の温度を設定する。また、冷房・暖房の切換部を暖房に設定する。放熱ボックス４内は室内の温度を設定されることで地上部熱伝導材２と板羽根熱伝導材２−１に送風機９で送風され、送風量が調節され、放熱量も調節される。ダクト５は入り口部の黴除去フィルター１０に通気させて正逆転ファン７の送風量も調節されながら室内の床吸込・吹出口１５より暖気を吹き出し循環暖房をし、１３度位の室温に温度調節しながら天井吹出・吸込口１４より吸い込み放熱ボックス４に循環する。尚、春期や秋期には気温によって室内の操作盤の温度設定部で室内温度の設定を操作する。
【００４１】
このような冷暖房システムを新築のＲＣ造建物などに設置する場合について説明する。新築のＲＣ造建物などに設ける時は事前に設計に組み込むことができるので建物の室内冷暖房を効率よくするために地上の放熱ボックス４の位置は内壁部や外壁に添わせて自由な位置に設けることができる。
【００４２】
これを図６に基づいて説明すると、新築建物の躯体基礎工事に必要な構造用基礎杭１７の中空部１８に地中部熱伝導材１を挿入することで地中部工事のオーガー掘削１９やベンドナイト２０工事が不要で工期の短縮が図れ、工事費の削減ができる。放熱ボックス４は各階に奥行き１５００ｍｍ、幅４５０ｍｍ、高さ３０００ｍｍのスペースが必要で位置は上部の階と同一場所とし、熱損失の少ない場所を選び、ダクト５配管も支障が少ない場所を選ぶ、メンテナンスも支障がない場所で内壁部や外壁に添わせて自由な位置に設けることができる。
また、結露水や除湿水の排水は放熱ボックス４の下部に排水孔１２を設け自然排水をする。ダクト５は室内側放熱ボックス４−１と外部側放熱ボックス４−２より複数本を天井裏と床下より天井吹出・吸込口１４と床吸込・吹出口１５に接続し、室内の窓際で吹き出し循環冷暖房をする。
【００４３】
夏期には各階放熱ボックス４よりダクト５に接続し、天井吹出・吸込口１４より吹き出し冷房をし、床吸込・吹出口１５に吸い込み放熱ボックス４に循環冷房する。
また、冬期には各階放熱ボックス４より床下通気口６に入り、コンクリートスラブを暖めつつ床吸込・吹出口１４より吹き出し暖房をし、天井吹出・吸込口１５に吸い込み放熱ボックス４に循環暖房する。尚、事務所建築なども同様の方法で冷暖房をすることができる。
【００４４】
次に、既設建物や木造建物に設置する場合について説明する。図７に図示されているように地中部や放熱ボックス４の増設工事が必要で床や天井部分も改修工事が必要になる。スペースとしては外壁添いに幅２６００ｍｍ奥行き８００ｍｍの空きスペースで基礎部の工事をすることができる。地中部には３本〜複数本の地中部熱伝導材１を１ユニットとして地中部に間隔を開けて埋設されている数本の直径４００ｍｍ〜５５０ｍｍのオーガー掘削１９にベンドナイト２０を注入した中に挿入する。地上の放熱ボックス４は外壁添いの各階に幅２２００ｍｍ奥行き６００ｍｍの空きスペースがあれば後付けすることができる。また、床暖房兼用のフロアーなどとし、天井裏の一部にダクトスペースを設け、構造体を改修することなく内装を改修することで設置することできる。
【００４５】
例えば、既設建物など１階部にスペースとしては外壁添いに幅２６００ｍｍ奥行き８００ｍｍの空きスペースがあれば基礎部の工事でき、地中部には３本〜複数本の地中部熱伝導材１の１ユニットを既設建物の規模により複数個所挿入する。
また、外壁添いの各階に放熱ボックス４は幅２２００ｍｍ奥行き６００ｍｍの空きスペースがあれば後付けでき、放熱ボックス４が各階まで立ち上がっている。夏期には各階放熱ボックス４よりダクト５に接続し、天井吹出・吸込口１５より吹き出し冷房し、床吸込・吹出口１４で吸い込み放熱ボックス４に循環冷房する。
冬期には各階の床下通気口６に入りコンクリートスラブを暖めつつ床吸込・吹出口１４より吹き出し暖房し、天井吹出・吸込口１５に吸い込み放熱ボックス４に循環暖房をする。尚、木造建築の場合も同様の方法で冷暖房をすることができる。
【００４６】
つぎに、農業用温室等建物に設置する場合について説明する。図８に図示されているように地中工事のオーガー掘削１９やベンドナイト２０工事を必要とし、内壁添いや外壁添いに幅２６００ｍｍ奥行き８００ｍｍのスペースがあれば基礎部の工事ができ、放熱ボックス４は幅２２００ｍｍ奥行き６００ｍｍのスペースがあれば内壁添いや外壁添いに取り付けすることができる。
【００４７】
また、夏期において花や野菜などに冷房による温度調整と加湿調整が２４時間でき、夏期の熱による花や野菜など傷みが少ない。さらに、冬期において花や野菜などに暖房による温度調整が２４時間でき、冬期の夜間の窓際の温度差が少なく花や野菜など育成に適している。
尚、地中熱は年中地域の平均気温のため２４時間利用が可能となるが西日本において夏期ではダクト５より吹き出し室内温度が２２度〜２８度になり、冬期では壁吹出口１５より吹き出し室内温度が１３度程度になるが晴天時にはガラス面の採熱により換気扇等での温度調整が必要になるが夜間の１３度程度の温度は花や野菜など育成に適している。
【実施例】
【００４８】
本発明は、地域特性としてその地域の年平均気温が地中５〜７ｍの地熱であり場所により採用できる。地熱の違いがあるが何処の地域でも冷暖房が可能となる。さらに、ヒートレーンステンレス等、金属をヒートレーン加工すると熱伝導率が銀の５倍にもなり冷暖房効率が飛躍的に向上する。また、既設建物及び木造住宅、農業用温室等、一般住宅、マンション、事務所、公共建築物、学校、体育館、劇場、公会堂、集会所、病院、工場、木造２×４工法、ＲＣ造、ＳＲＣ造、Ｓ造等の建物の冷暖房システムに適用できる。
【図面の簡単な説明】
【００４９】
【図１】本発明に係る全体構成の断面図
【図２】同構造用基礎杭に地中部熱伝導材挿入の平面断面図
【図３】同構造用基礎杭に地中部熱伝導材挿入の断面図
【図４】同複数本の地中部熱伝導材挿入の平面断面図
【図５】同放熱ボックス平面図
【図６】同新設建物の地中熱利用した冷暖房室内循環図（構造用基礎杭中空部利用）
【図７】同既設建物及び木造住宅の地中熱利用した冷暖房室内循環図
【図８】同農業用温室等地中熱利用した冷暖房室内循環図
【図９】同操作盤及び温度制御部の構成図
【符号の説明】
【００５０】
1・・地中部熱伝導材
2・・地上部熱伝導材
2−１・・板羽根熱伝導材
3・・接続部熱伝導材
4・・放熱ボックス
4−１・・室内側放熱ボックス
4−２・・外部側放熱ボックス
5・・ダクト
6・・床下通気口
7・・正逆転ファン
8・・サッシ
9・・送風機
10・・黴除去フィルター
11・・除湿機
12・・排水孔
13・・改め口サッシ
14・・床吸込・吹出口
15・・天井吹出・吸込口
16・・断熱材  
17・・構造用基礎杭
18・・中空部
19・・オーガー掘削
20・・ベンドナイト
【図９】
2010019502.tif 000003
【図１】
2010019502.tif 000004
【図２】
2010019502.tif 000005
【図３】
2010019502.tif 000006
【図４】
2010019502.tif 000007
【図５】
2010019502.tif 000008
【図６】
2010019502.tif 000009
【図７】
2010019502.tif 000010
【図８】
2010019502.tif 000011